Podtech/llm-jp-corpus-v4-ja_patent huggingface dataset:
(57)【要約】【課題】  めがねの持ち運び時において、ひずみ、歪みを気にする事なく、置き忘れることが少しでも少なくなること、及び一つの係止物で挿し込む事と挟み込むことが出来るようにした。【解決手段】  帯部材の内側に平面ファスナを取り付けて二つ折り可能かつ係止部をもって身体に装着可能として、めがねのツルを挿し込む事また挟み込んだりし、めがねを固定保持可能としためがねキーパー。【選択図】  図６
2005062457.tif 000002
【特許請求の範囲】
【請求項１】
二つ折り可能でかつ使用者の身体の一部に係止部材を介して装着可能に形成された帯部材を有し、この帯部材の折り部で二分された一方部分の内側に平面ファスナの雄部を取り付けるとともに、他方部分の内側に平面ファスナの雌部を取り付け、当該帯部材を二つ折りにし、平面ファスナの雄部と雌部とを係止して筒状空間を形成し、この筒状空間に、めがねのツルの一本を挿し込む事、又は、二本を挟み込んで当該めがねを保持可能に構成された、めがねキーパー。
【発明の詳細な説明】
【技術分野】
【０００１】
本発明は、めがねを身体の一部に装着するのに役立つめがねキーパーに関する。
【背景技術】
【０００２】
例えば、胸ポッケトにピンを装着し、このピンに、めがねをリングを介して吊るすめがねキーパーが提案されている（特許文献1参照）。
【特許文献１】登録実用新案第３０８２２６８号公報
【発明の開示】
【発明が解決しようとする課題】
【０００３】
ところで、特許文献1に係るめがねキーパーは、眼鏡をリングに介してピンに吊るす構造であるので、眼鏡が身体を動かすたびにブラブラと揺れて非常に目障りである。又、揺れが大きくなると、ピンから外れて、眼鏡が落ちてしまうという不測の事態が起こる事もある。本発明の目的は、眼鏡の揺れを起こす事無く、確実に身体の一部に保持出来る、めがねキーパーを提供する事にある。
【課題を解決するための手段】
【０００４】
本発明は、二つ折り可能で、かつ身体の一部に係止部を介して装着可能に形成された帯部材を有し、この帯部材の折り部で二分された一方部分の内側に、平面ファスナの雄部を取り付けるとともに、他方部分の内側に、平面ファスナの雌部を取り付け、当該帯部材を二つ折りにし、平面ファスナの雄部と雌部とを係止して筒状空間を形成し、この筒状空間に、めがねのツルの一本であれば挿し込む事、二本であれば挟み込んで当該めがねを保持可能に構成された、めがねキーパーである。
【発明の効果】
【０００５】
めがねの持ち運びにおいて、体の一部に簡単に取り付けが可能であり、用途に応じて従来の、ぶら下げるだけで持ち運ぶのではなく、めがねのツル二本を挟み込み眼鏡の使用者なら、殆んどの方々が経験しているツルの歪み、ずれ、ぶらつきの不快感を防止しながら安心して持ち運ぶ事が出来る事。又、ちょっとした時には、めがねのツル一本を挿し込むだけでも持ち運ぶ事の出来る2通り使用可能にした事である。又、半分に折りたたむ事の出来る材料は、色・材質も折りたたむ事が出来る材質であれば、どのようなものでも可能な為、老若男女問わず使用でき、又、ファッションとして、老年限らずサングラス他を取り付け幅広い人々に使用可能である。
【発明を実施するための最良の形態】
【０００６】
上記目的を達成する為に、この発明に係る機能的な、保持部材は、衣服に軽く簡単に装着出来るものとして形成され、なおかつ、めがねのツル二本共を挟み込み確実に体の一部に取り付けられる事と、めがねのツル一本を挿し込む事が可能である。この保持部材にて二通りの手段を得ることが可能である。
【実施例１】
【０００７】
本発明を、図面を参照して説明する。
本発明に係るめがねキーパーは、図１〜図６に示すように帯部材1を有している。
この帯部材１は、二つ折り可能で、かつ使用者の身体の一部に係止部材（この実施形態で
は安全ピン３０）を介して装着可能に形成されている。この帯部材１の折り部2で二分された一方部分３の帯部材１の内側には、平面ファスナ１０の雄部１１が取り付けられている。
そして、帯部材１の他方部分４の内側には、平面ファスナ１０の雌部１２が取り付けられている。
次にこの実施形態の作用について説明する。
図１を説明する。
１．半分に折りたたむ事の出来る材質であれば、こだわる事のない材料。
２．中心の半分折り部分。
３．一方部分。
４．他方部分。
１０．平面ファスナ取り付け。
１１．平面ファスナ雄部分。
１２．平面ファスナ雌部分。
２０．空間部分。
帯部材は、幅が広いので保持が確実でブラブラしない。
図２を説明する。
１．半分に折りたたむ事の出来る材料。
２．中心の半分折り部分。
１０．平面ファスナ。
１１．平面ファスナ雄部分。
１２．平面ファスナ雌部分。
２０．空間部分、筒状空間。
３０．安全ピン。外側に取り付ける。
中心を半分に折り、外側に安全ピンを取り付ける。又、安全ピン取り付け時に安全ピンの取り付け部の穴が１．２ｃｍのものであれば、糸で縫い合わさなくともホッチキス使用にて安全ピンと保持部材との取り付けが簡単に、手間がかからないことが可能である。
図３を説明する。
１．半分に折りたたむ事の出来る材料。
２．中心の半分折り部分。
１１．平面ファスナ雄部分。
１２．平面ファスナ雌部分。
１３．平面ファスナ重なり部分。
２０．空間部分、筒状空間。
３０．安全ピン。外側に取り付ける。
完成した保持部材を上部から見た図であり、平面ファスナ雄・雌が重なった部分１３で、
めがねのツル二本を挟み込む事が可能である。２０の空間部分に、めがねのツル一本を挿し込む事が可能である。
図４を説明する。
ヒトの頭上より見た部分で衣服、又、ズボンの横側にも簡単に装着可能である。
図５を説明する。
所定距離を隔てた部分（空間部分）は、平面ファスナが取り付けてない為、中心2を折り曲げた状態の時、空間が出来、その部分は片方のめがねのツル一本のみ挿し込む事が可能。
図６を説明する。
両方のめがねのツルを平面ファスナで挟み込み、この保持材の上にコート他を着用しても、めがねのツルのゆがみ、ねじれも気にすることなく動作が可能である。帯部材の幅が広いので保持が確実に可能となり、めがねがブラブラすることがない
図７を説明する
衣服を着ている個所であれば軽くどこにでも取り付ける事の出来る固定部材である。
【図面の簡単な説明】
【０００８】
【図１】本発明の実施形態を説明する為の図である。
【図２】帯部材を折りたたんだ状態を示す図である。
【図３】帯部材の平面ファスナの係止状態を示す図である。
【図４】ヒトの胸に装着した状態を示す図である。
【図５】めがねを保持した状態を示す図である。
【図６】めがねを保持した他の状態を示す図である。
【図７】使用形態を説明する図である。
【符号の説明】
【０００９】
１  帯部材。
２  折り部。
３  一方部分。
４  他方部分。
１０  平面ファスナ。
１１  平面ファスナ雄部。
１２  平面ファスナ雌部。
２０  空間部分。
３０  安全ピン
【図１】
2005062457.tif 000003
【図２】
2005062457.tif 000004
【図３】
2005062457.tif 000005
【図４】
2005062457.tif 000006
【図５】
2005062457.tif 000007
【図６】
2005062457.tif 000008
【図７】
2005062457.tif 000009
(57)【要約】【課題】建設業において建設機械による重大労働災害が毎年多数発生しております。数々の危険感知システムが開発されておりますが危険を警告音で知らせる方法が主であり又、広範囲に感知する為頻繁に警告音が鳴りオペレーターが故意にスイッチを切る事が多く事故防止対策としては不十分であった。【解決手段】本発明は建設機械に設置した危険感知自動停止装置の感知部に使用する超音波センサーの指向性を高める事が出来たため（誤作動を激減させた）作業中、側後方の死角に人が立ち入った際（旋回／後退時）感知し自動停止する事ができる。この事により重大労働災害を未然に防ぐ効果が期待出来る。【選択図】図１
2005062141.tif 000002
【特許請求の範囲】
【請求項１】
建設機械に接近すると危険を感知する超音波の（超音波制御装置の形状の微差の調整による）指向性を高める方法。
【請求項２】
超音波送受信センサー制御に使用するホーン部はゴム、プラスチック類、又はこれらの混合した材質のものを使用する。
【請求項３】
超音波到達距離を１．５ｍ〜４ｍ（＋−０．５ｍ）、巾を直径１ｍ（＋−０．５ｍ）に設定し広範囲に反応しない様にする。
【請求項４】
超音波の指向性を高める制御方法としては超音波センサー発信部と接続するホーン部との隙間（１ｍｍ〜２ｍｍで調整）及び超音波が通過する為に開けたホーン部の孔の径（３ｍｍ〜６ｍｍの間で調整）又、ホーンの形状（内径／長さ）で設定する。
【請求項５】
超音波センサーの振動を吸収し又防水対策にする為、超音波センサーとケースの間にゴム等のパッキンを使用する。
【発明の詳細な説明】
【発明の詳細な説明】
【０００１】本発明は建設機械の接近・危険感知自動停止装置に使用する超音波センサーの指向性を高める為の超音波制御装置である。
【背景技術】
【０００２】超音波が半円形／１８０°、距離１０ｍ位に発信され広範囲の人や障害物を感知し頻繁に警告音等を発する為、建設機械による作業効率が落ちる傾向があった。
【発明が解決しようとする課題】
【０００３】建設機械の危険感知方法で従来の超音波センサーを使用した場合、頻繁に警告音が鳴るため建設機械オペレーターが超音波センサーのスイッチを切る事が多くなり、労災事故防止という目的が困難になる
本発明において超音波センサーの制御を行う事により指向性を高め本来の目的である労働災害防止の実効性を高める事ができる。
【課題を解決する為の手段】
【０００４】超音波送受信センサーに指向性を高める制御方法を採用し（電子回路基板で設定する発信距離と併用）発信巾を設定する。
超音波を制御する事が出来ることにより建設機械の旋回及び後進時のオペレーターからの死角になる側後方の危険を回避する事が出来る。
本発明により建設業における重大労働災害防止に役立つ事ができる。
【発明を実施するための最良の形態】
【０００５】発明の実施の形態を実施例に基づき図面を参照して説明する。
図１  超音波制御装置の図面である。【０００６】
【図２】
超音波制御装置の詳細図である。
【発明の効果】
【０００７】本発明は建設業における建設機械による重大労働災害を未然に防止する事が出来る「接近・危険感知自動停止装置に使用する超音波センサー」制御装置である。指向性を高める事により従来の超音波センサーに多数みられた誤作動を激減する事が出来、作業効率の向上と労働災害防止を達成する事ができる。
【図面の簡単な説明】
【図１】超音波制御装置の図面である。
【図２】超音波制御装置の詳細図である。
【符号の説明】
▲１▼  ホーン部
▲２▼  超音波センサー振動吸収／防水パッキン
▲３▼  防水型超音波センサー
▲４▼  ケース
▲５▼  ホーン奥、            Ｌ＝１０    ｍｍ
▲６▼  ホーン部              厚    ２．５ｍｍ
▲７▼  ホーン奥                ｏ１５
▲８▼  超音波通過孔            ｏ  ３〜ｏ  ６
▲９▼  ホーンとセンサーの隙間  １ｍｍ〜３ｍｍで調整
▲１０▼  ホーン              Ｌ＝３８    ｍｍ
▲１１▼  ホーン口径            ｏ４２
▲１２▼  制御装置            Ｌ＝６７    ｍｍ
【図１】
2005062141.tif 000003
【図２】
2005062141.tif 000004
(57)【要約】【課題】生物に影響を与える程度の濃度のルイサイトを簡便に検出、測定すること。【解決手段】サンプリングガスを受ける検知材Ｓと、検知材Ｓの光学濃度を検出する測定ヘッド１３とを備え、検知材Ｓが、水素イオン指示薬及び保湿剤を担体に展開して構成されている。【選択図】図１
2005062135.tif 000002
【特許請求の範囲】
【請求項１】
サンプリング装置からのガスを検出する検知材と、前記検知材の光学濃度を検出する光学濃度検知手段とを備え、
前記検知材が、水素イオン指示薬及び保湿剤を担体に展開して構成されているルイサイト検出装置。
【請求項２】
前記水素イオン指示薬が、メチールオレンジ、メタニールイエロー、アザリンイエロー、ベンジルイエロー、メチルイエロー、メチールレッド、ベンジルオレンジ、トロペオリン、ブロモフェノールブルーから選ばれた１種であり、また前記担体がセルロースからなる紙葉体である請求項１に記載のルイサイト検出装置。
【発明の詳細な説明】
【技術分野】
【０００１】
本発明は、びらん性毒ガスの一種であるルイサイトを検出する装置に関する。
【背景技術】
【０００２】
テロなどの犯罪に使用されるびらん性毒ガスは、程度の極めて低い濃度で人体など生物に重篤な影響を与えるため、高い感度と選択性で、しかも可及的速やかに検出し、対策を施すことが必要となる。
すなわち、原因が分からないまま事態が進展すれば被害が拡大し人命は失われていく。一刻も早く中毒を引き起こす原因物質（中毒起因物質）が何であるかつきとめなければならない。被害者の診断による症状の情報のみからでは、適切な治療は行えない。毒の種類がわかれば解毒薬投与、処置等いくらでも対策が立てられる。極めて低濃度のびらん性毒ガスなどは、クロマトグラフ装置など実験室レベルで使用可能な分析機器により正確に検出できるものの、犯罪現場での使用は困難である。
【０００３】
このような０．１ｍｇ／立方メートル程度の極めて濃度の低い毒ガスの検出は、ガスクロマトー質量分析装置など実験室レベルでは実用的な分析機器により簡単に検出できるものの、犯罪現場での使用は困難である。
このため、各種ガスセンサーや検知管等の現場で容易に使用できる検出手段の応用が検討されているが、未だ実用に供するのに十分な感度を引き出すまでには至っておらず、現実には現場に毒ガスが存在するか否かを判定するため、カナリアをセンサーとして使用されたこともあったが、濃度や種類、分布状況など、対策に必要となるデータを得ることはとても不可能である。
【発明の開示】
【発明が解決しようとする課題】
【０００４】
本発明はこのような事情に鑑みてなされたものであって、生物に影響を与える濃度が０．１ｍｇ／立方メートル程度のルイサイトをフィールドで簡単に検出することができる新規なルイサイト検出装置を提供することである。
【０００５】
本発明はこのような事情に鑑みてなされたものであって、生物に影響を与える３０程度濃度のルイサイトをフィールドで簡単に検出することができる新規なルイサイト検出装置を提供することである。
【課題を解決するための手段】
【０００６】
このような問題を解消するために本発明においては、サンプリング装置からのガスを検出する検知材と、前記検知材の光学濃度を検出する光学濃度検知手段とを備え、前記検知材が、水素イオン指示薬及び保湿剤を担体に展開して構成されている。
【発明の効果】
【０００７】
ルイサイトを検知材に反応させて光学濃度の変化として検出できるため、特別な分析技術や設備を必要とすることなく、フィールドでの使用が可能となる。また、サンプリング時間を変更するだけで、同一の装置で緊急性を重視した検出と精度を重視した検出とに対応することができる。
【発明を実施するための最良の形態】
【０００８】
そこで以下に本発明の詳細を図示した実施例に基づいて説明する。
図１は、本発明の一実施例を示すものであって、検出手段１０は、検知材Ｓを、発光素子１１と受光素子１２とを備えた光学濃度検知手段としての測定ヘッド１３に、一定時間毎に搬送するテープ搬送機構１４と、サンプリングポンプ１５からの負圧を受けて、測定ヘッド１３と共同して検知材Ｓに被検ガスを接触させる吸引ヘッド１６とから構成されている。なお、図中符号１７は、検知材Ｓの未使用領域を測定領域に一定量送り出すための間欠駆動部を示す。
【０００９】
ところで検知材Ｓは、水素イオン濃度指示薬、例えばメチルレッド０．２２ｗｔ％、バッファ溶液１７．５ミリリットル、及び保湿剤、例えばグリセリンやエチレングリコール等の多価アルコール１５ｍｌを、全量が１００ｍｌとなるようにメタノール等の易蒸発性有機溶媒に溶解した発色液に、セルロースを素材とするろ紙に含浸させ有機溶媒を揮散させて構成されている。
【００１０】
なお、水素イオン指示薬としては、メチールオレンジのほか、メタニールイエロー、アザリンイエロー、ベンジルイエロー、メチルイエロー、メチールレッド、ベンジルオレンジ、トロペオリン、ブロモフェノールブルーを使用することが出来る。
【００１１】
この検知材Ｓは、テープ状に裁断してカセットケースに収容して連続測定用に供したり、また紙片に成形して遮気性の袋に保管し、必要の都度、遮気性袋から取り出してバッチ測定に供したりすることができる。
【００１２】
この実施例において、吸引ヘッド１６を引き下げて測定ヘッド１３との間に検知材Ｓを挿入し、再び吸引ヘッド１６を上昇させて測定ヘッド１３に対向する領域にサンプリングポンプ１５の吸引圧が作用するようにセットする。
ついで、濃度０．１ｍｇ／立方メートル程度のルイサイトを含むエアを時間３０秒だけ吸引すると、ルイサイトが検知材Ｓの一方の面から他方の面に通過し、検知材Ｓに担持されている発色剤と反応する。この際、検知材のシリカゲルや保湿剤が反応を促進することになる。
【００１３】
このようにしてサンプリング時間が経過した時点で、測定ヘッド１３の発光素子１１と受光素子１２とにより、ガスを通過させる以前の光学濃度との差分を検出すると、図２に示したように光学的濃度がルイサイトの濃度に略比例して変化する。
【００１４】
もとより、検出手段１０を駆動できるに足る電源を商用電源や、バッテリから供給するだけで、特別な分析技術を必要とすることなく、極めて低い濃度のルイサイトを検出できるから、犯罪現場などのフィールドで使用可能となる。
【００１５】
なお、上述の実施例においては、サンプリング時間を３０秒としたが、緊急性と検出感度との兼ね合いで、緊急性を要する場合には光学濃度の変化が検出できる程度に短縮し、またルイサイトの濃度を正確に知る必要がある場合には延長するなど、サンプリング時間を適宜変更すると、用途に合った検出が可能となる。
【図面の簡単な説明】
【００１６】
【図１】本発明の一実施例を示す構成図である。
【図２】ルイサイトの濃度と検知材の濃度変化との関係を検出出力として示す線図である。
【符号の説明】
【００１７】
１０  検出手段  １３  測定ヘッド  Ｓ  検知材
【図１】
2005062135.tif 000003
【図２】
2005062135.tif 000004
(57)【要約】【課題】従来の静止画再生装置では、焼き付き防止のための専用回路を搭載し、制御マイコンでディスプレイの輝度を落としたり、静止画の表示位置を変化させたりして焼き付き防止を行っていた。しかしながらこの方式では、専用回路を搭載することでコストが高くなる。また、制御マイコンでディスプレイの輝度を落としたり、静止画の表示位置を変化させる等の処理を行わせる必要があり、そのためのソフトウェア開発においてもコスト高と言える。【解決手段】上記課題を解決するために、静止画再生の基本機能であるスライドショーを用い、静止画再生中にユーザー操作が一定時間なかった場合に自動的にスライドショー機能へ切り換えることで、同じ静止画の状態が長時間継続するのを防ぐ。これにより、従来よりも低コストで簡便な焼き付き防止装置を提供することが可能となる。【選択図】図１
2005062600.tif 000002
【特許請求の範囲】
【請求項１】
スライドショー機能を用いてディスプレイの焼き付き防止を行う静止画再生装置。
【発明の詳細な説明】
【技術分野】
【０００１】
本発明は、ディスプレイを搭載した静止画再生装置に関するものである。
【背景技術】
【０００２】
従来の静止画再生装置では、焼き付き防止のための専用回路を搭載し、制御マイコンでディスプレイの輝度を落としたり、静止画の表示位置を変化させたりして焼き付き防止を行っていた（例えば特許文献１を参照）。
【特許文献１】特開平９−２６６５５５号公報
【発明の開示】
【発明が解決しようとする課題】
【０００３】
しかしながら上記の方式では、専用回路を搭載することでコストが高くなる。また、制御マイコンでディスプレイの輝度を落としたり、静止画の表示位置を変化させる等の処理を行わせる必要があり、そのためのソフトウェア開発においてもコスト高と言える。
【０００４】
本発明は上記の課題を緩和するもので、従来よりも低コストで簡便な焼き付き防止装置を提供することを目的とする。
【課題を解決するための手段】
【０００５】
上記の目的を達成するために本発明は、静止画再生のスライドショー機能を用いて焼き付き防止を行う装置を提供する。
【０００６】
静止画再生のモードに入ったら、ユーザー操作がある時点からなくなったことを制御マイコンが検知し、一定時間経過してもユーザー操作がなければスライドショー機能へ自動的に切り換えを行う。スライドショー機能が実行されれば、静止画が次々に切り換わるので焼き付き防止が実現できる。また、自動的にスライドショーが実行されている際中にユーザー操作があれば、その時点でスライドショーに切り換わる前の状態に戻してやる。こうすればユーザーは違和感を持つことなくその後の操作が行える。
【０００７】
これにより、従来よりも低コストで簡便な焼き付き防止装置を提供することが可能となる。
【発明の効果】
【０００８】
以上のように本発明によれば、ディスプレイを搭載した静止画再生装置において、従来のように専用の焼き付き防止回路を持たなくても、低コストでの焼き付き防止装置が実現できる。また、ディスプレイの輝度を落としたり、静止画そのものの表示位置を変化させる等の複雑な処理を制御マイコンで行わなくて済むという有用な効果が得られる。
【発明を実施するための最良の形態】
【０００９】
本発明は、静止画再生におけるスライドショー機能を用いた焼き付き防止装置である。以下、本発明における実施の形態について図面を用いて説明する。
【００１０】
（実施の形態１）
図１は、静止画再生におけるスライドショー機能を用いた焼き付き防止装置を示す。
【００１１】
図１において、符号１０１は静止画再生用のユーザー操作、１０２は制御マイコン、１０３は時間カウント装置、１０４はスライドショー機能を有する静止画再生装置、１０５はディスプレイ装置である。
【００１２】
以上のように構成された焼き付き防止装置において、以下その動作について説明する。
【００１３】
図１において、静止画再生用ユーザー操作１０１があると、制御マイコン１０２からの指令により、時間カウント装置１０３で時間がカウントされる。ある一定時間ユーザー操作１０２がなければ、制御マイコン１０２が静止画再生装置１０４に対してスライドショー機能への移行を指令し、ディスプレイ装置１０５においてスライドショー機能が実行される。
【００１４】
以上のようにすることで、静止画再生におけるスライドショー機能を用いた焼き付き防止装置を実現できる。
【産業上の利用可能性】
【００１５】
本発明にかかる  焼き付き防止装置は、専用の焼き付き防止回路を持たなくても低コストでの焼き付き防止装置が実現できるものであり、静止画を再生するディスプレイの制御等において有用である。
【図面の簡単な説明】
【００１６】
【図１】本発明の実施の形態１に係る構成を示すブロック図
【符号の説明】
【００１７】
１０１    静止画再生用のユーザー操作
１０２    制御マイコン
１０３    時間カウント装置
１０４    スライドショー機能を有する静止画再生装置
１０５    ディスプレイ装置
【図１】
2005062600.tif 000003
(57)【要約】【課題】従来のコンピュータ向け学習用ソフトウェアは、利用者が学習しようという意識を常に持ち続ける必要があり、特に英単語習得のような単調な学習については、途中で止めてしまうことがあった。【解決手段】ロールプレイングゲームの形式を取り入れ、倒すべき敵を学習対象とし、ゲームを進めることにより無理なく反復学習が行えるようにした。特に戦闘シーンでは連想記憶を利用することにより長期に渡る記憶保持を行えるようにした。【選択図】図２
2005062788.tif 000002
【特許請求の範囲】
【請求項１】
ロールプレイングゲームの形式を取り入れ、倒すべき敵を学習対象とし、ゲームを進めることにより無理なく反復学習が行えることを特徴とするコンピュータ向け学習用ソフトウェア。
【請求項２】
前記学習用ソフトウェアは、連想記憶を利用することを特徴とする請求項１記載のコンピュータ向け学習用ゲーム。
【発明の詳細な説明】
【技術分野】
【０００１】  この発明は、英単語等の学習に利用するコンピュータ向け学習用ソフトウェアの仕様に関する。
【背景技術】
【０００２】  従来のコンピュータ向け学習用ソフトウェアは、図３に示すように、各問題毎に解答を選択し、一定の正答を行えば次に進める仕様であった。
【発明の開示】
【発明が解決しようとする課題】
【０００３】  しかしながら、以上の仕様によれば、利用者が学習しようという意識を常に持ち続ける必要があり、特に英単語習得のような単調な学習については、途中で止めてしまうことがあった。
そこで、この発明は、学習しようという意識を持たなくても楽しみながら続けることができるコンピュータ向け学習ソフトウェアを提供することを課題とする。
【課題を解決するための手段】
【０００４】  以上の課題を解決するために、第一発明は、ロールプレイングゲームの形式を取り入れ、倒すべき敵を学習対象とし、ゲームを進めることにより無理なく反復学習が行えることを特徴とするコンピュータ向け学習用ソフトウェアである。
また、第二発明は、この学習用ソフトウェアは、連想記憶を利用することを特徴とするコンピュータ向け学習用ゲームである。
【発明の効果】
【０００５】  第一発明によれば、ロールプレイングゲームの形式を取り入れ、倒すべき敵を学習対象としたため、繰り返し倒している間に無理なく反復学習ができる。
また第二発明によれば、連想記憶を利用することとしたため、長期に渡る記憶保持が期待できる。
【発明を実施するための最良の形態】
【０００６】  この発明の一実施形態を、図１および図２に示す。
先ずゲームの世界は図１のように表示される。この世界をストーリーに沿って移動し、複数の敵を倒すことにより、最終目的を達成することがゲームの目的となる。
図１をマップと呼ぶ。
マップを移動中に一定の確率により敵キャラクターと戦闘を行う。戦闘シーンは図２のように表示される。
戦闘シーンでは画面中央下に倒すべき敵のグラフィックが表示され、その上に敵の名前が表示される。敵の名前は例えば英単語であれば、語幹などの各単語を連想できる名称が表示される。画面左には語幹より連想される英単語が表示され、複数回反転し、単語が示される。利用者は右側の日本語より正しい訳文を一定回数選択することにより敵を倒すことが可能となる。
これら一連の流れをストーリーに沿って進めることにより、楽しみながら反復学習を行うことができる。【０００７】「実施形態の効果」
この実施形態によれば、複数回敵を倒すことにより反復学習の効果を得ることができる。またストーリーを持たせることにより、話の先に進みたいという意欲を持たせることができる。
【図面の簡単な説明】
【０００８】
【図１】この発明の一実施形態を示す仕様図である。
【図２】この発明の一実施形態を示す仕様図である。
【図３】従来技術を示す仕様図である。
【符号の説明】
【０００９】１  自キャラクター
２  マップ
３  関連英単語表示部位
４  語幹（連想元）
５  日本語訳
６  語幹の意味
７  敵のグラフィック
８  英単語
【図１】
2005062788.tif 000003
【図２】
2005062788.tif 000004
【図３】
2005062788.tif 000005
(57)【要約】【課題】従来の弦楽器用弱音器は取り付けが面倒な上、装着時には正しい音程で演奏できないという問題がある。また、弦に弱音器を取り付けると、弦を押さえる指先の感覚に違和感を与えることも問題である。【解決手段】  弦楽器の音の主たる発生源である表面板に特殊なシートを装着して、表面板の振動を抑制することによって、弦の感触と音程に影響を与えず、高い弱音効果を得ることができる。また、シートの片面を吸着シートにすることで楽器への着脱が容易になり、繰り返し使用できる。【選択図】      「図３」
2005062783.tif 000002
【特許請求の範囲】
【請求項１】
響胴を持つ弦楽器において、音量の主たる発生源である表面板に、振動を抑制するシートを装着して楽器の音量を小さくする弱音器。
【請求項２】
糊や接着剤を使わない吸着シートを用いて表面板に弱音器を装着することで、繰り返し容易に着脱可能とする。
【発明の詳細な説明】
【技術分野】
【０００１】  本発明は、ギター、バイオリン、マンドリン等の響胴を有する弦楽器において、弾き心地を損ねることなく、音量を抑制する弱音器に関する。
【背景技術】
【０００２】  現在流通している代表的な弱音器のしくみは、金属・スポンジ又はゴム製の弱音器を弦の下駒付近に装着して弦の振動を抑制するものがほとんどである。これ以外のものとしては、楽器の表面板に空けられたサウンドホールをゴム製の蓋でふさぐものがある。【０００３】  また、響胴に様々な改造を加えた消音楽器もある。
【特許文献１】  実公昭４６−０３０７７０号  公報
【特許文献２】  実全昭５０−０８１２２８号  公報
【特許文献３】  実全昭５６−１４７４９４号  公報
【発明の開示】
【発明が解決しようとする課題】
【０００４】  しかしながら、弦に直接弱音器を装着する方法には以下のような欠点がある。弦の振動が不自然に妨げられるため、演奏者に技術上の違和感を与える。弱音効果を高める目的で弱音器を下駒から離れた位置に装着すると楽器の音程に悪影響を与える。發弦楽器おいては音質がブツ切れになり、弾弦時のアタック音のみが耳につく。特に音程と音質の欠点については、音楽的観点から許されるものではない。
サウンドホールを塞ぐ方法では、音質は軟らかくなるものの、弱音効果はそれほど高くない。これは、弦楽器の主たる音量を生み出しているのは表面板の振動であり、表面板から発生する音量に比べれば、サウンドホールから発生する音量はそれほど大きくないからである。【０００５】  響胴に改造を加えた消音楽器の場合、新たに楽器を購入する経済的負担が大きいことに加え、公開演奏と練習時で異なる楽器を使用することになる。愛用の楽器に用意に取り付け可能な弱音器は経済的負担を軽減し、練習効率を上げるのに役立つ。【０００６】  本発明は上記の欠点を克服するためになされたものであり、演奏感覚への違和感を最小限に抑え、楽器の音程と表現力にできるだけ影響を与えずに高い弱音効果を得られる装置の提供を目的とする。
【課題を解決するための手段】
【０００７】  課題１を解決するために本発明の要旨とするところは、弦楽器の響胴の表面板に振動制御効果の高いシートを装着して効率よく弱音効果を得る方法にある。【０００８】  課題２の楽器への着脱を容易にするためには、振動抑制シートを吸着シートに接着して、楽器の表面板には吸着シートの面で密着させる。【０００９】  上記第１の課題解決手段による作用により、楽器の表面板の振動が抑制され、楽器から発生する音量は非常に小さくなる。また、弦に異物を装着しないため、楽器が若干重くなることを除けば、演奏者に与える違和感はわずかである。音程への悪影響は全くない。【００１０】  第２の解決手段による作用は次の通りである。既存の振動抑制シートは、振動する物体に隙間なく接着することで最大の効果を得られる。しかし、振動抑制シートを楽器に糊付けしてしまうと取り外しが不可能になる。そこで、振動抑制シートを吸着シートに接着した後、吸着シートの面を楽器に装着することで、振動抑制シートを楽器に直接糊付けするのと同様の弱音効果が得られ、尚且つ繰り返し容易に着脱可能となる。
【発明の効果】
【００１１】  上述したように本発明は弦楽器の音量の主たる発生源である表面板の振動を抑制するため、音量を抑えながら自然な音楽表現が可能になる。【００１２】  また楽器への装着には吸着シートを用いるので、容易に繰り返し着脱可能である。
【発明を実施するための最良の形態】
【００１３】  以下、本発明の実施の形態を、ギターを例にとり、図１〜３に基づいて説明する。【００１４】  図１において、１はウレタンやゴムを加工した振動抑制シートである。２は接着剤を使わずに平面に貼り付けられる吸着シートである。この２種類のシートを重ねて隙間なく接着する。【００１５】  図１の要領で張り合わせたシートを、図２に示すように、ギターの表面板の形に合わせて成型する。指板と下駒の部分は切り取る。５は、着脱が容易になるように下駒部分の穴から縁の部分まで入れた切り込みを示す。【００１６】  図３はギターに装着した状態を表す。
【図面の簡単な説明】
【００１７】
【図１】本発明の実施形態を示す弱音器の部分断面図
【図２】同弱音器をギター用に成型した外観図
【図３】同弱音器をギターに装着した外観図
【符号の説明】
【００１８】１  振動抑制シート
２  吸着シート
３  振動抑制シートと吸着シートの接着面
４  吸着シートの吸着面
５  楽器への着脱に必要な切込み部分
６  振動抑制シート
７  吸着シート
８  ギターの響胴
【図１】
2005062783.tif 000003
【図２】
2005062783.tif 000004
【図３】
2005062783.tif 000005
(57)【要約】【課題】  自分の意志を、黙って静かに、意志の受け手に伝える意志表示用具を提供する。【解決手段】  立方体の向かい合う面を同じ色や模様にし隣接する面は異なる色や模様をつけ、立方体のそれぞれの色や模様の意味について、事前に、意志の送り手と受け手の間で約束を交わしておき、意志の受け手に向ける色や模様等で送り手の意志、状態を受け手に伝え、送り手の意志を黙って静かに受け手に伝えることを特徴とする。【選択図】  図１
2005062790.tif 000002
【特許請求の範囲】
【請求項１】
立方体の向かい合う面を同じ色や模様にし、隣接する面は異なる色や模様をつけた、自分の意志を相手に伝える表示用具。
【発明の詳細な説明】
【発明の詳細な説明】
【技術分野】
【０００１】  この発明は、机上への置き方で、複数の送り手の意志を受け手に伝えることができるように工夫した自分の意志を相手に伝える表示用具に関する物である。
【背景技術】
【０００２】  従来より、教室での講習等、小数の指導者と多数の被指導者が一同に会するとき、被指導者からの意志を指導者に伝えるには、挙手をして質問をしたり電気配線等による机上のスイッチ類の操作で「ＹＥＳ・ＮＯ」や「○・×」などの意志を伝えていた。
【発明が解決しようとする課題】
【０００３】  これには次のような欠点があった。
即ち、静粛が要求される会場や、大勢の被指導者が個別の課題にそれぞれ取り組んでいるような静かな場面では、声に出して挙手することは周囲の迷惑になる。
また、個人の性格上、挙手そのものに心理的な抵抗を覚える人も多い。
さらに、電気配線等による方法は大がかりな工事を必要とし装置にかける費用も大きくなる。
本発明は、これらの欠点を解決するために発明されたものである。
【課題を解決するための手段】
【０００４】  立方体の面１（１）と面２（２）、面３（３）と面５（５）、面４（４）と面６（６）の向かい合う面を同じ色や模様にし、隣接する面は異なる色や模様をつける。
以上の構成からなる置き方で３種類の意志を相手に伝える表示用具。
【発明を実施するための最良の形態】
【０００５】  以下、本発明の実施の形態について説明する。
立方体（１２）の向かい合う面１（１）と面２（２）に○印の模様（７）を入れる。
立方体の向かい合う面３（３）と面５（５）に×印の模様（８）を入れる。
立方体の向かい合う面４（４）と面６（６）に△印の模様（９）を入れる。
本発明は以上のような構造で、これを使用するときには、例えば試験会場で小数の指導者（１３）がいて多数の被指導者（１０）が机（１１）に向かって着席しているとき、指導者、被指導者双方は立方体（１２）のそれぞれの表示模様が意味する内容に付いて「終了しました」「取り組み中、用があります来てください」等あらかじめ約束として決めておく。
例えば「○印の模様（７）は終了しました」「△印の模様（９）は取り組み中」「×印の模様（８）は用があります来てください」のように表示模様の意味を指導者、被指導者双方の間で事前に約束しておく。
最初、被指導者（１０）は△印の模様（９）が指導者（１３）からよく見えるような机（１１）の位置にこの立方体（１２）を置いておく。
次に被指導者は必要を感じたときに×印の模様（８）を指導者に向ける。
指導者は被指導者の発した×印の模様（８）を見て被指導者に近づきその意志を確かめる。
さらに、被指導者は試験が終了したときに○印の模様（７）を指導者に向ける。
指導者（１３）は○印の模様（７）を見て試験の全体の進行状況を把握する。
【発明の効果】
【０００６】  本発明を使用することによって、静粛が要求される会場でも、また大勢の中で挙手することに心理的な抵抗を覚える人でも、送り手の意志を静かにそして確実に、意志の受け手に伝えることができる。
さらに、意志の受け手にとっても必要な個人の情報を確実に得ることができ、周りの雰囲気を乱すことなくそれに対応することもできる。
【図面の簡単な説明】
【図１】    本発明の実施例の斜視図である。
【図２】    本発明の展開図である。
【図３】    本発明の使用状態を示す斜視図である。
【符号の説明】
１    面１
２    面２
３    面３
４    面４
５    面５
６    面６
７    ○の模様
８    ×の模様
９    △の模様
１０  被指導者
１１  机
１２  立方体
１３  指導者
【図１】
2005062790.tif 000003
【図２】
2005062790.tif 000004
【図３】
2005062790.tif 000005
(57)【要約】【目的】二個のディスプレイ付きの薄型デジタルカメラを左右対称に結合し折り畳み可能とし、撮影時には１８０°に展開して左右同時に撮影する。又、右側のディスプレイの映像を反転映像とし、一枚の鏡を用いてこれを再反転した虚像を右眼で見、同時に左眼で左側の正像を見る事により、立体映像を得るものである。【構成】二個のデジタルカメラを左右に蝶番状に結合し、左右同時にシャッター出来るようにする。【選択図】図１
2005062784.tif 000002
【特許請求の範囲】
【請求項１】
二個の薄型デジタルカメラを左右対称に蝶番状に結合し折りたたみ可能とし、一つのシャッターで左右同時に撮影できるカメラ。
【請求項２】
左右に結合したそれぞれのカメラに十分な大きさの液晶などのディスプレイをもうけ、右側の映像を左右反転像とすること。
【発明の詳細な説明】
【発明の詳細な説明】
本発明は、従来、立体映像を得るための二枚の写真（左眼用および右眼用）を撮影するためには二個のカメラを左右に固定するための冶具を用いるなど特別な仕掛けを必要としたが、軽量薄型のデジタルカメラ二台を折りたたみ式に結合することにより持ち運び及び取り扱いを著しく便利にしたものである。請求項１について説明すると、図１に示すように二つのデジタルカメラ（１及び２）を蝶番状に結合し、撮影時には図１に示すように１８０°に展開して使用し、通常時はディスプレイを内側に二つ折りにしておく。請求項目２について説明すると、図１に示したディスプレイ（４および５）のうち一方（本願書では５とする）を左右反転映像とし、立体映像鑑賞時にはこれを図２に示すように鏡面８に映して再反転し正常に戻った虚像を右眼で見る。一方左眼で左側の映像を直接見ることにより立体映像を得るものである。この場合ディスプレイ開角の二分の一の位置に鏡を位置することにより左右の映像が重なり合い完全な立体像が浮かび上がる。なお、ディスプレイの映像を紙上に任意に拡大プリントして同様に鏡を用いてみれば、より一層大きな立体映像を楽しむことができる。
【図面の簡単な説明】
【図１】撮影の際に１８０°に展開した状態を示す全体図
【図２】映像を立体的に鑑賞する際の状態を示す図
【符号の説明】
１，２    カメラ本体３        蝶番状ヒンジ４，５    ディスプレイ６        カメラレンズ７        シャッター８        板鏡
【図１】
2005062784.tif 000003
【図２】
2005062784.tif 000004
(57)【要約】【課題】  小学低学年の身近な数字に関する遊び道具としてトランプがあり、数の大小を理解する知識や同じ数字を認識できる知識がある程度養われていることから、本考案は、この様にすでに身についているトランプゲームの基礎知識を応用しトランプと同様の方法で遊びながら九九が学習できる九九カードを提供するものである。【解決手段】  ３６枚のカードに九九学習要素としての九九の答えと、答えを導く数式と読み方を表記し、この３６枚を１組として裏面の異なるもう１組とあわせて使用する計７２枚からなる九九カード。この様なカード構成にすることで、トランプと同様の特性（数字の大小、同じ数字カードを持つ。）がうまれ、ページワンやシンケイスイジヤクなど従来のトランプ遊びを応用して九九を学習することができる。【選択図】  図１
2005062789.tif 000002
【特許請求の範囲】
【請求項１】
３６枚のカードに九九の答えとなる数（１、２、３、４、５、６、７、８、９、１０、１２、１４、１５、１６、１８、２０、２１、２４、２５、２７、２８、３０、３２、３５、３６、４０、４２、４５、４８、４９、５４、５６、６３、６４、７２、８１）をそれぞれ表記し、この３６枚を１組として裏面の異なるもう１組とあわせて使用する、計７２枚からなる九九カード。
【請求項２】
各カードには九九の答えと、答えを導く数式と読み方を表記した、九九カード。
【発明の詳細な説明】
【技術分野】
【０００１】本発明は小学低学年の九九を楽しく学習する為の学習道具に関する。
【背景技術】
【０００２】従来の九九カードには、トランプと比べ、全く異なる構成と特徴を有したものがある（例えば、特許文献１参照。）この文献では、幅広く学習することができるようカードに約数や倍数関係を盛り込むことで四則計算を用いたゲームなど高度な学習が期待できる。
【特許文献１】特公平０７−０９３９６９号公報
【発明の開示】
【発明が解決しようとする課題】
【０００３】従来の技術ではトランプと比べ、全く異なる構成と特徴を有し、幅広く学習することができるようカードに約数や倍数関係を盛り込むことで四則計算を用いたゲームなど高度な学習が期待できる反面、小学生低学年が使用するには情報量が多く難解で、逆に九九全体を学習する場合に必要な数式と読み方全てが表記されていないデメリットがあった。
【課題を解決するための手段】
【０００４】３６枚のカードに九九の答えとなる数（１、２、３、４、５、６、７、８、９、１０、１２、１４、１５、１６、１８、２０、２１、２４、２５、２７、２８、３０、３２、３５、３６、４０、４２、４５、４８、４９、５４、５６、６３、６４、７２、８１）をそれぞれ表記し、この３６枚を１組として裏面の異なるもう１組とあわせて使用する、計７２枚からなる九九カードで、各カードには九九の答えと、答えを導く数式と読み方を表記する。
【発明の効果】
【０００５】本考案の背景には、小学低学年の身近な数字に関する遊び道具としてのトランプがあり、遊び方としては、ページワンやシチナラベ、シンケイスイジヤクなどがあり、数の大小を理解する知識や同じ数字を認識できる知識がある程度養われていることがわかる。この考案は、この様にすでに身についているトランプゲームの基礎知識を応用し、九九カードをトランプと同様の方法で遊びながら学習できる効果がある。【０００６】従来の九九カードはトランプと比べ全く異なる構成を特徴としているため小学低学年の知識では九九を学習する上で難解さがあったが、本考案の九九カードはトランプと同様の特性（数字の大小、同じ数字カードを持つ。）を持たせた３６枚２組の計７２枚のカードを使用し、各カードに九九の答えと、答えを導く数式と読み方を表記しているため、小学低学年のトランプ遊びの知識を応用し九九を学習できる効果がある。
【発明を実施するための最良の形態】
【０００７】本考案の３６枚２組の計７２枚のカードを使用し、トランプと同様のシンケイスイジャクやページワンを楽しく遊びながら九九の学習ができる。
【実施例】
【０００８】たとえば、トランプのページワンでは、山札から各プレイヤーが５枚ほどカードを取り、最後に山札からカードを一枚取り場に表向けにおく。ゲー厶は順番に表に向いているカードの数字が同じか絵柄（ハート、スペード、ミツバ、ダイヤ）の同じカードを出し、手持ちのカードを減らしていき、手持ちのカードが一枚になったとき、プレイヤーはページワンと宣言し、その次の自分の手番で自分のカードが出せれば勝者となる。【０００９】このページワンを本考案の九九カードで遊びながら学習するには、トランプと同様に山札から各プレイヤーが５枚ほどカードを取り、最後に山札からカードを一枚取り場に表向けにおく。ゲームは順番に表に向いているカードの数字が同じか九九カードに表記してある数式（１の段から９の段）が同じ段のカードを出し、手持ちのカードを減らしていき、手持ちのカードが一枚になったとき、プレイヤーは九九と宣言し、その次の自分の手番で自分のカードが出せれば勝者となる。【００１０】次にトランプのシンケイスイジャクではトランプ５２枚を場に伏せて並べおき、プレイヤーが２枚めくり同じ数字が出れば回収し、違えばカードを元にもどし次のプレイヤーへと順番が回り最後に場のカードがなくなるまでゲームを続け、回収したカードが多いプレイヤーが勝者となる。【００１１】このシンケイスイジャクを本考案の３６枚２組の計７２枚で遊びながら学習するには、九九カード７２枚を場に伏せて並べおき、プレイヤーは２枚（裏面の異なる各１枚。）めくり同じ答えの数字が出れば回収し、違えばカードを元にもどし次のプレイヤーへと順番が回り最後に場のカードがなくなるまでゲームを続け、回収したカードが多いプレイヤーが勝者となる。尚、７２枚の九九カードでは同じ数字が出る確率がトランプと比べ低いため、たとえば場に並べおきするカードを九九の１段から３段までの数式を含むカード１８枚２組の計３６枚だけでゲームを行うことで、数式に集中し学習しながらゲームを楽しむことができる。
【産業上の利用可能性】
【図面の簡単な説明】
【００１２】図面はカード表面と裏面の構成例である。【図１】答えが６となる九九カードの表面図である。
【図２】九九カード７２枚中の３６枚１組の裏面図である。
【図３】九九カード７２枚中の残り３６枚１組の裏面図である。
【符号の説明】
１、九九の答えの数字を示す。
２、九九の答えに対する全ての数式を示す。
３、九九の数式に対する呼び方を示す。
４、九九カード７２枚中の３６枚１組の裏面の色を示す。（赤）
５、九九カード７２枚中の残り３６枚１組の裏面の色を示す。（青）
【図１】
2005062789.tif 000003
【図２】
2005062789.tif 000004
【図３】
2005062789.tif 000005
(57)【要約】  【課題】  多階調であっても隣り合った出力配線間の電位差が大きく、出力配線間のショートやリークの検出が容易な半導体装置を提供する。  【解決手段】  階調数分の階調電圧を生成する直列抵抗からなる階調電圧発生回路８を有する半導体装置において、階調電圧発生回路の低階調側半分の出力配線間に高階調側半分の出力配線がそれぞれ電圧が増加する順番で交互に配置されている。【選択図】  図１
2005062708.tif 000002
【特許請求の範囲】
【請求項１】
階調数分の階調電圧を生成する直列抵抗からなる階調電圧発生回路を有する半導体装置において、階調電圧発生回路の低階調側半分の出力配線間に高階調側半分の出力配線がそれぞれ電圧が増加する順番で交互に配置されていることを特徴とする半導体装置。
【発明の詳細な説明】
【技術分野】
【０００１】
本発明は液晶表示用半導体装置に関し、特に階調電圧発生回路に関するものである。
【背景技術】
【０００２】
一般的な液晶表示用半導体装置を図２から説明する。図２において液晶表示用半導体装置１は、シフトレジスタ２、データレジスタ３、データラッチ４、レベルシフタ５、Ｄ／Ａコンバータ６、アウトプットバッファ７から構成されている。６４階調の表示を例にとると、シフトレジスタ２によりクロックに同期して各色６ビットのデータをデータレジスタ３内に取り込む。次に、別クロックに従ってデータレジスタ３内のデータをデータラッチ４内に取り込んだ後、Ｄ／Ａコンバータ６で階調値に対応した電圧値に変換され、アウトプットバッファ７から出力される。ここでＤ／Ａコンバータ６は図３に示すように、外部から供給される例えば１０値の階調基準電圧Ｖ０〜Ｖ９を直列抵抗Ｒ１〜Ｒ６３で分圧し階調電圧を得る階調電圧発生回路８とデータ毎に得られた階調電圧を選択するＲＯＭデコーダ９から構成されている。
【０００３】
一方、液晶の駆動電圧と透過率との関係は図４に示すように、低透過率側と高透過率側で透過率変化すなわち階調変化が小さい曲線となっている。この特性を補正するため、外部から階調電圧発生回路８へ供給する階調基準電圧のうち低階調側と高階調側（例えばＶ０とＶ９）を大きな値とする抵抗値一定の方法や、低階調側と高階調側の抵抗値と階調基準電圧を同じ比率で大きくする電流値一定の方法（特許文献１参照）が開示されている。
【特許文献１】特開平８−２１１３６７号公報（第４〜６頁、第１図）
【発明の開示】
【発明が解決しようとする課題】
【０００４】
しかしながら、前述の階調電圧発生回路には下記のような残された課題があった。すなわち、図３で説明した方法は、階調電圧発生回路の出力配線が連続して電圧が増加する順番で配置されているため隣り合った出力配線間の電位差が小さく、隣り合った出力の電圧規格範囲が重複するため、電圧からショートやリークを検出することが困難であった。
【０００５】
本発明の課題は、多階調であっても隣り合った出力配線間の電位差が大きく、出力配線間のショートやリークの検出が容易な半導体装置を提供することである。
【課題を解決するための手段】
【０００６】
本発明の請求項１記載の半導体装置は、階調数分の階調電圧を生成する直列抵抗からなる階調電圧発生回路を有する半導体装置において、階調電圧発生回路の低階調側半分の出力配線間に高階調側半分の出力配線がそれぞれ電圧が増加する順番で交互に配置されている。
【発明の効果】
【０００７】
本発明の半導体装置によれば、多階調であっても隣り合った出力配線間の電位差が大きく、出力配線間のショートやリークの検出が容易であるという優れた産業上の効果を奏し得る。
【発明を実施するための最良の形態】
【０００８】
以下、本発明の実施の形態を添付図面を参照し、従来例と同一物には同一の符号を用いて説明する。
【０００９】
本発明の実施形態である半導体装置の階調電圧発生回路８は、図１に示すように、低階調側半分に相当する抵抗Ｒ１〜Ｒ３１の出力配線間に、高階調側半分に相当するＲ３２〜Ｒ６３の出力配線がそれぞれ電圧が増加する順番で交互に配置されている。
【００１０】
本実施形態によれば、隣り合う全ての出力配線間には最大駆動電圧の約半分の電位差があるため隣り合った出力の電圧規格範囲が重複することがなく、階調電圧の検査の際に出力配線間のショートやリークの検出が容易となる。
【００１１】
尚、本発明の半導体装置は、上記のライン反転駆動を想定した実施形態に限定されるものではなく、液晶の駆動方法に応じて本発明の要旨を逸脱しない範囲内において種々変更を加え得る。
【図面の簡単な説明】
【００１２】
【図１】本発明の実施形態の階調電圧発生回路を示す回路図。
【図２】従来の液晶表示用半導体装置を示すブロック図。
【図３】従来の階調電圧発生回路を示す回路図。
【図４】液晶の駆動電圧と透過率の関係を示す図。
【符号の説明】
【００１３】
１  液晶表示用半導体装置
２  シフトレジスタ
３  データレジスタ
４  データラッチ
５  レベルシフタ
６  Ｄ／Ａコンバータ
７  アウトプットバッファ
８  階調電圧発生回路
９  ＲＯＭデコーダ
Ｒ１〜Ｒ６３  抵抗
Ｖ０〜Ｖ９  階調基準電圧
【図１】
2005062708.tif 000003
【図２】
2005062708.tif 000004
【図３】
2005062708.tif 000005
【図４】
2005062708.tif 000006